(57)【特許請求の範囲】
【請求項１】
放送中のストリームを受信して、デスクランブル処理前の番組データを生成するとともに、契約を促すメッセージである自動表示メッセージ情報を受信するチューナと、
番組単位での録画に使用する第１のＩＣカードを挿入可能な第１のカードスロットと、
特定チャンネルについての継続的な録画に使用する第２のＩＣカードを挿入可能な第２のカードスロットと、
番組単位での録画指示にしたがい、前記第１のＩＣカードを使用してデスクランブル処理された番組データを記憶媒体に記録する第１の記録と、特定チャンネルについての継続的な録画指示にしたがい、前記第２のＩＣカードを使用してデスクランブル処理された番組データを記憶媒体に記録する第２の記録とを行う記録部と、
前記記憶媒体に記録された番組データの再生を制御する制御部と、
を備え、
前記制御部は、前記第２の記録により記録された番組データの再生時において、前記番組データが特定の放送事業者から提供されたものである場合、前記第１のＩＣカードを参照して、前記特定の放送事業者に対する契約状況を確認する、
信号処理装置。
【請求項２】
前記制御部は、前記特定の放送事業者に対する契約がある場合、前記特定の放送事業者に対する自動表示メッセージを表示せず、前記特定の放送事業者に対する契約がない場合、放送中のストリームから前記特定の放送事業者に対する自動表示メッセージ情報を取得する、
請求項１記載の信号処理装置。
【発明の詳細な説明】
【技術分野】
【０００１】
本開示は、有料放送契約を締結可能な複数枚のデスクランブル用のカード（例えば、Ｂ−ＣＡＳカード）を使用でき、そのカードを用いてデータのデスクランブル処理を行う信号処理装置に関する。
【背景技術】
【０００２】
特許文献１は、番組記録再生装置を開示する。この番組記録再生装置は、３つのチューナを備える。この番組記録再生装置は、３つのチューナで同時に受信した番組をハードディスクに記録する。
【０００３】
これにより、この番組記録再生装置は、複数番組の同時録画を実現できる。
【先行技術文献】
【特許文献】
【０００４】
【特許文献１】特開２００７−９６３６８号公報
【発明の概要】
【発明が解決しようとする課題】
【０００５】
一般に、受信した番組をデスクランブル処理する場合、Ｂ−ＣＡＳカード（Ｂ−ＣＡＳ：登録商標）が必要になる。Ｂ−ＣＡＳカードとは、Ｂ−ＣＡＳ社により発行されているＩＣカードであり、放送番組のデスクランブル処理に用いられるＩＣカードである。１枚のＢ−ＣＡＳカードでデスクランブル処理できる番組数には制限がある。例えば、１枚のＢ−ＣＡＳカードで３番組まで処理することができるよう制限されている。
【０００６】
特許文献１に開示されている番組記録再生装置においては、同時に受信する番組が３番組である。従って、この場合、１枚のＢ−ＣＡＳカードを使用するだけで、受信した放送番組のデスクランブル処理を実行できる。
【０００７】
１つの番組記録再生装置において、１枚のＢ−ＣＡＳカードで同時に処理できる数よりも多い番組を同時に受信したい場合も考えられる。この場合、番組記録再生装置において、複数枚のＢ−ＣＡＳカードがデスクランブル処理のために必要となる。このような、有料放送契約を締結できるＢ−ＣＡＳカードを複数枚使用できるような装置においては、様々な問題が存在する。
【０００８】
本開示は、有料放送契約を締結可能なデスクランブル処理用カード（例えば、Ｂ−ＣＡＳカード）を複数枚使用可能な信号処理装置において生じ得る問題を解決できる信号処理装置を提供する。
【課題を解決するための手段】
【０００９】
本開示にかかる信号処理装置は、放送中のストリームを受信して、デスクランブル処理前の番組データを生成するとともに、契約を促すメッセージである自動表示メッセージ情報を受信するチューナと、番組単位での録画に使用する第１のＩＣカードを挿入可能な第１のカードスロットと、特定チャンネルについての継続的な録画に使用する第２のＩＣカードを挿入可能な第２のカードスロットと、番組単位での録画指示にしたがい、第１のＩＣカードを使用してデスクランブル処理された番組データを記憶媒体に記録する第１の記録と、特定チャンネルについての継続的な録画指示にしたがい、第２のＩＣカードを使用してデスクランブル処理された番組データを記憶媒体に記録する第２の記録とを行う記録部と、記憶媒体に記録された番組データの再生を制御する制御部と、を備える。制御部は、第２の記録により記録された番組データの再生時において、番組データが特定の放送事業者から提供されたものである場合、第１のＩＣカードを参照して、特定の放送事業者に対する契約状況を確認する。
【発明の効果】
【００１１】
本開示によれば、有料放送契約を締結可能なＢ−ＣＡＳカードを複数枚挿入可能な記録装置において生ずる問題の少なくとも一部を解決した信号処理装置を提供できる。
【図面の簡単な説明】
【００１２】
【図１】実施形態１にかかるＢＤレコーダ１００の外観斜視図
【図２】実施形態１にかかるＢＳＮＨＫの自動表示メッセージを説明する模式図
【図３】実施形態１にかかるＢＤレコーダ１００の背面を示す外観模式図
【図４】実施形態１にかかるＢＤレコーダ１００の電気的構成を示すブロック図
【図５】実施形態１にかかるＢＤレコーダ１００におけるタイムシフト録画の記録動作を説明するためのフローチャート
【図６】実施形態１にかかるＢＤレコーダ１００におけるタイムシフト録画した番組データの再生動作を説明するためのフォローチャート
【図７】実施形態２にかかるタイムシフト録画した番組データの再生動作を示すフローチャート
【図８】実施形態３にかかるＢＤレコーダ１００における録画動作を示すフローチャート
【図９Ａ】実施形態３にかかるＢＤレコーダ１００における録画された番組データの再生動作を示すフローチャート
【図９Ｂ】実施形態３にかかるＢＤレコーダ１００における録画された番組データの再生動作を示すフローチャート（つづき）
【図９Ｃ】実施形態３にかかるＢＤレコーダ１００における録画された番組データの再生動作を示すフローチャート（つづき）
【図１０】実施形態３にかかるＢＤレコーダ１００における、ダビングされた番組データの再生動作を示すフローチャート
【発明を実施するための形態】
【００１３】
以下、適宜図面を参照しながら、実施の形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
なお、発明者（ら）は、当業者が本開示を十分に理解するために添付図面および以下の説明を提供するのであって、これらによって特許請求の範囲に記載の主題を限定することを意図するものではない。
【００１４】
以下、本発明をＢＤレコーダに適用した実施の形態１について図面を用いて説明する。
【００１５】
１．実施の形態１
１−１．概要
ＢＤレコーダ１００の概要について図１を用いて説明する。図１は、ＢＤレコーダ１００の外観斜視図である。ＢＤレコーダ１００は、放送番組を録画できる。ＢＤレコーダ１００は、１２個のチューナを有する。ＢＤレコーダ１００は、１２個のチューナのうち、９個のチューナをタイムシフト録画に用い、３個のチューナを通常の録画、若しくは視聴に用いる。
【００１６】
ここで、「タイムシフト録画」とは、使用者により選択されたチャンネルにおいて放送される番組をチューナを介して常時受信し、受信した番組に基づいて生成した番組データを常時内部のハードディスクに記録する録画方式である。タイムシフト録画をする場合、ＢＤレコーダ１００は、使用者により選択されたチャンネルにおいて放送される番組に関して、常時一定期間分（例えば１週間分）の番組データをハードディスクに記憶しておく。一定期間分の容量を超える場合、ＢＤレコーダ１００は、同一チャンネルの古い番組データから消去していく。
【００１７】
一方、「通常の録画」とは、使用者により選択された番組をチューナを介して受信し、受信した番組に基づいて生成した番組データを内部のハードディスクに記録する録画方式である。通常の録画としては、予約録画と現在放送されている番組の録画とがある。予約録画とは、将来放送される番組の録画の予約を使用者が事前に行い、予約されている日時になると、ＢＤレコーダ１００が自動的に予約されている番組を受信し、受信した番組に基づいて生成した番組データを自動的にハードディスクに記録する録画方式である。
【００１８】
また、チューナが放送を受信して生成する番組データは、デスクランブル処理前の番組データである。デスクランブル処理前の番組データは暗号化された状態である。使用者は、デスクランブル処理前の番組データを視認しても番組コンテンツを認識できない。従って、ＢＤレコーダ１００は、デスクランブル処理前の番組データに対して、デスクランブル処理を施す必要がある。デスクランブル処理には、Ｂ−ＣＡＳカードが必要である。１枚のＢ−ＣＡＳカードによって同時にデスクランブル処理できる番組データ数は有限である。そこで、本実施形態では、１枚のＢ−ＣＡＳカードにより３チャンネル分の番組データに対して同時にデスクランブル処理が可能であるとする。本実施の形態のＢＤレコーダ１００は、１２個のチューナからの１２チャンネル分の番組データを処理するため、４枚のＢ−ＣＡＳカードを用いる。
【００１９】
ところで、放送番組には、使用者が個別に放送事業者と契約することで視聴が可能となる有料番組がある。有料番組は、原則、放送事業者との契約が締結されて初めてデスクランブルできることとなる。この有料番組を視聴するための放送事業者との契約は、原則、Ｂ−ＣＡＳカード毎に締結する必要がある。つまり、４枚のＢ−ＣＡＳカードを用いるような装置において、全てのチューナで有料放送を視聴したい場合には、最大４枚分の有料放送契約を放送事業者と締結する必要がある。一方、一部のチューナでのみ有料放送を視聴できればよいと考える場合には、一部のＢ−ＣＡＳカードについてのみ有料放送契約を放送事業者と締結すればよい。
【００２０】
また、有料番組の一つとして日本放送協会（以下、「ＮＨＫ」と称する）が放送するＢＳ放送（以下、「ＢＳＮＨＫ」と称する）がある。ＢＳＮＨＫの放送番組は、ＮＨＫと契約しなくてもデスクランブルできる。但し、ＮＨＫと契約をしていない場合には、画面に自動表示メッセージが表示される。ここで、自動表示メッセージとは、図２に示すような、使用者にＮＨＫ（放送事業者）との契約を促す表示である。ＢＳＮＨＫの契約は、多くの有料番組と異なり、Ｂ−ＣＡＳカード毎に締結しなくてもよい。ＢＳＮＨＫの契約は、１世帯に１つあればよい。つまり、ＢＳＮＨＫに関しては、４枚のＢ−ＣＡＳカードを用いるような装置において、１つの契約を行えばよい。
【００２１】
具体的には、使用者は、電話等を介して、ＢＤレコーダ１００に挿入されているＢ−ＣＡＳカードのカードＩＤをＮＨＫに通知する。すると、ＢＤレコーダ１００は、自動表示メッセージを表示する必要がない旨を示す情報を、放送を介して受信する。この自動表示メッセージを表示する必要がない旨を示す情報はＢ−ＣＡＳカード毎にＮＨＫから送信される。Ｂ−ＣＡＳカードに自動表示メッセージの表示の要否を問い合わせた場合、そのＢ−ＣＡＳカードから自動表示メッセージを表示する必要がある旨を示す情報が返されるか否かでＢＤレコーダ１００は、自動表示メッセージを出力するか否かを判断する。
【００２２】
一方、ＢＳＮＨＫの番組データの通常の録画を行ったとする。この番組データを再生する場合には、使用者がＢＳＮＨＫの契約をしていなかったとしても、自動表示メッセージは表示されないことが多い。これは、番組データの録画を行ってから、再生を行うまでには通常一定の期間を要し、録画時には未契約でも再生時には契約済ということもあり得、必ずしも自動表示メッセージの表示が求められていないからである。
【００２３】
しかしながら、タイムシフト録画された番組データを再生する場合に、使用者がＢＳＮＨＫの契約をしていなければ、自動表示メッセージを併せて出力すべきである。これは、タイムシフト録画されている番組データは録画してから再生されるまでの期間が一定期間に限られるため、従来の通常の録画が行われた番組データと同列に扱うべきではないからである。タイムシフト録画された番組データの再生は、従来の通常の録画がなされた番組データの再生というよりも現在放送されている番組の視聴に近い。
【００２４】
ＢＤレコーダ１００には、タイムシフト録画された番組データを再生する際、必要な場合に、自動表示メッセージを出力するための工夫が施されている。以下、詳細に説明する。
【００２５】
１−２．外観構成
ＢＤレコーダ１００の外観構成に関して図１、図３を用いて説明する。図３は、ＢＤレコーダ１００の背面を示す外観模式図である。図１に示すように、ＢＤレコーダ１００は、正面側にＢＤドライブ１１０、及びＢ−ＣＡＳカードスロット１２０を有する。また、図３に示すように、ＢＤレコーダ１００は、背面側にＢ−ＣＡＳカードスロット１３０、Ｂ−ＣＡＳカードスロット１４０、Ｂ−ＣＡＳカードスロット１５０、及び地デジアンテナ取付部１２１〜ＢＳ／ＣＳアンテナ取付部１５２を有する。
【００２６】
ここで、各Ｂ−ＣＡＳカードスロットに対応するＢ−ＣＡＳカードについて説明する。Ｂ−ＣＡＳカードスロット１２０〜Ｂ−ＣＡＳカードスロット１５０は、ＢＳ、ＣＳ、地上デジタル放送に対応したＢ−ＣＡＳカードである共用Ｂ−ＣＡＳカード（赤色）に対応している。
【００２７】
また、Ｂ−ＣＡＳカードスロット１２０に挿入される共用Ｂ−ＣＡＳカードは、通常録画若しくは視聴に用いられる。また、受信したデータ放送において、表示されるＢ−ＣＡＳカードのカードＩＤは、原則としてＢ−ＣＡＳカードスロット１２０に挿入されている共用Ｂ−ＣＡＳカードを用いることで行われる。この共用Ｂ−ＣＡＳカードを「代表カード」ともいう。このように構成する理由を説明する。仮に、データ放送において、何れのＢ−ＣＡＳカードのカードＩＤが表示されるかが特定されていないとする。また、データ放送において、使用者にゲームを楽しませるような放送がある。このゲームを始めるにあたって、使用者がＢ−ＣＡＳカードのカードＩＤを機器に入力する必要がある場合がある。このようなゲームのデータ放送においては、ゲームのポイントがカードＩＤに紐づいて加算される。このような場合に、使用者がＢ−ＣＡＳカードのカードＩＤを入力する画面に毎回異なるＢ−ＣＡＳカードのカードＩＤが表示されると、使用者がゲームを始める際に毎回異なるＢ−ＣＡＳカードのカードＩＤを入力してしまう恐れがある。このような事態が生じると、使用者は毎回同じゲームをしているにも関わらず、ゲームのポイントが複数のカードＩＤに分散して加算されてしまう。そこで、ＢＤレコーダ１００は、データ放送において表示するカードＩＤを代表カードのカードＩＤとすることで、このような事態を回避している。
【００２８】
Ｂ−ＣＡＳカードスロット１３０、Ｂ−ＣＡＳカードスロット１４０、及びＢ−ＣＡＳカードスロット１５０に挿入されるＢ−ＣＡＳカードは、タイムシフト録画に用いられる。
【００２９】
このように、本実施の形態にかかるＢＤレコーダ１００は、機器の正面側に通常録画若しくは視聴用のＢ−ＣＡＳカードのスロット１２０を配置し、背面側にタイムシフト録画用のＢ−ＣＡＳカードのスロット１３０〜１５０を配置している。従って、通常録画若しくは視聴用のＢ−ＣＡＳカードに対して有料放送契約を締結しているような場合に、機器の正面側のスロットに挿入されているＢ−ＣＡＳカードが有料放送契約を締結しているＢ−ＣＡＳカードであることを使用者に簡単に認識させられる。
【００３０】
１−３．電気的構成
ＢＤレコーダ１００の電気的構成について図４を用いて説明する。図４は、ＢＤレコーダ１００の電気的構成を示すブロック図である。
【００３１】
ＢＤレコーダ１００は、通常録画、若しくは視聴用に用いられるブロックと、タイムシフト録画用に用いられるブロックとから構成される。まず、通常録画若しくは視聴用に用いられるブロックについて説明する。
【００３２】
１−３−１  通常録画／視聴用ブロックの構成
通常の録画若しくは視聴に用いられるブロックには、チューナ１２３〜１２５が含まれる。チューナ１２３、チューナ１２４、及びチューナ１２５は、地上波デジタル放送用アンテナ、若しくはＢＳ／ＣＳ放送用アンテナを介して受信した電波のうち、使用者が選局しているチャンネルの電波を抽出する。チューナ１２３、チューナ１２４、及びチューナ１２５は、抽出した電波に基づいて、デスクランブル処理前の番組データを生成する。また、チューナ１２３、チューナ１２４、及びチューナ１２５は、データ放送を受信し、受信したデータ放送に基づいて、データ放送画面を生成する。
【００３３】
デスクランブラ１２６は、Ｂ−ＣＡＳカードスロット１２０に挿入されている共用Ｂ−ＣＡＳカードを用いて、デスクランブル処理前の番組データに対してデスクランブル処理を施す。
【００３４】
ＬＳＩ１７０は、通常録画、若しくは視聴用に用いられるブロックを制御する制御部である。ＬＳＩ１７０は、デスクランブラ１２６によりデスクランブル処理を施された番組データに対して、エンコード処理、デコード処理等の画像処理を施す。ＬＳＩ１７０は、エンコード処理済みの番組データをＨＤＤ１６０に記録したり、ＨＤＤ１６０、ＢＤドライブ１１０、若しくはＨＤＤ１８０に記憶されているエンコード済みの番組データに対してデコード処理を施し、ＨＤＭＩ２２０にデコード済みの番組データを出力したりする。
【００３５】
ＨＤＤ１６０は、動画像データ等を記憶する記憶装置である。また、ＢＤドライブ１１０は、ＢＤにデータを記録したり、ＢＤに記憶されているデータを読み出したりするドライブである。
【００３６】
以上が通常録画若しくは視聴用に用いられるブロックである。次に、タイムシフト録画に用いられるブロックについて説明する。
【００３７】
１−３−２  タイムシフト録画用ブロックの構成
タイムシフト録画に用いられるブロックには、チューナ１３３〜１５５が含まれる。チューナ１３３〜チューナ１５５は、地上波デジタル放送用アンテナ、若しくはＢＳ／ＣＳ放送用アンテナを介して受信した電波のうち、使用者が選局しているチャンネルの電波を抽出する。チューナ１３３〜チューナ１５５は、抽出した電波に基づいて、デスクランブル処理前の番組データを生成する。
【００３８】
デスクランブラ１３６〜デスクランブラ１５６は、Ｂ−ＣＡＳカードスロット１３０〜Ｂ−ＣＡＳカードスロット１５０に挿入されている共用Ｂ−ＣＡＳカードを用いて、デスクランブル処理前の番組データに対してデスクランブル処理を施す。
【００３９】
ＬＳＩ１９０〜ＬＳＩ２１０は、タイムシフト録画用に用いられるブロックのうちチューナ１３３〜チューナ１５５を介して生成された番組データを処理するブロックを制御する制御部である。ＬＳＩ１９０〜ＬＳＩ２１０は、使用者にタイムシフト録画指示されているチャンネルの番組に基づいて生成された番組データを連続的にＨＤＤ１８０に記録する。ＬＳＩ１９０〜ＬＳＩ２１０は、ＨＤＤ１８０に記憶されている特定のチャンネルの番組の長さが所定期間以上になる場合には、同じチャンネルの古い番組の番組データをＨＤＤ１８０から消去する。ＬＳＩ１９０〜ＬＳＩ２１０は、ＨＤＤ１８０に記憶されている特定のチャンネルの番組データの長さが所定期間以上とならないように監視する。
【００４０】
ＨＤＤ１８０は、動画像データ等を記憶する記憶装置である。
【００４１】
以上がタイムシフト録画に用いられるブロックである。
【００４２】
本実施形態及び以後の実施形態で示すＢ−ＣＡＳカードスロット１２０、１３０〜１５０はそれぞれ第１及び第２のＢＳカードスロットの一例である。ＬＳＩ１７０は制御部の一例である。ＬＳＩ１７０、１９０〜２１０は記録部の一例である。ＨＤＤ１６０、１８０、ブルーレイディスク１１０は記憶媒体の一例である。
【００４３】
１−４．動作
１−４−１．タイムシフト録画における記録動作
ＢＤレコーダ１００によるタイムシフト録画における記録動作について図５を用いて説明する。図５は、ＢＤレコーダ１００によるタイムシフト録画における記録動作を説明するためのフローチャートである。ここでは、タイムシフト録画用の系のうち、チューナ１３３〜チューナ１３５を介して受信した番組データをタイムシフト録画する際の動作について説明する。なお、チューナ１４３〜チューナ１４５やチューナ１５３〜チューナ１５５を介して受信した番組データをタイムシフト録画する際も動作するＬＳＩやデスクランブラ等が異なるだけで基本的に同様に動作する。
【００４４】
タイムシフト録画による番組データの記録動作を開始する際に（Ｓ１００）、ＬＳＩ１９０は、Ｂ−ＣＡＳカードスロット１３０に挿入されている共用Ｂ−ＣＡＳカードに対して、自動表示メッセージの表示が必要か否か（共用Ｂ−ＣＡＳカードが受信中の有料チャンネルについて契約済みか否か）を問い合わせる（Ｓ１１０）。
【００４５】
自動表示メッセージの表示要否について問い合わせると、ＬＳＩ１９０は、Ｂ−ＣＡＳカードスロット１３０に挿入されている共用Ｂ−ＣＡＳカードからの応答を待ち、応答結果に基づいて、自動表示メッセージの表示の要否を判断する（Ｓ１２０）。
【００４６】
自動表示メッセージの表示が必要であると判断すると（Ｓ１２０におけるＹ）、ＬＳＩ１９０は、受信した番組データ及び受信した自動表示メッセージのデータをＨＤＤ１８０に記録する（Ｓ１３０）。
【００４７】
一方、自動表示メッセージの表示が不要であると判断すると（Ｓ１２０におけるＮ）、ＬＳＩ１９０は、受信した番組データのみをＨＤＤ１８０に記録する（Ｓ１４０）。つまり、この場合には、ＬＳＩ１９０は、受信した自動表示メッセージのデータをＨＤＤ１８０に記録しない。
【００４８】
１−４−２．タイムシフト録画した番組データの再生動作
次に、ＢＤレコーダ１００によるタイムシフト録画した番組データの再生動作について図６を用いて説明する。図６は、ＢＤレコーダ１００によるタイムシフト録画した番組データの再生動作を説明するためのフローチャートである。
【００４９】
ＢＤレコーダ１００は、不図示のメニュー画面等を介して使用者からタイムシフト録画した番組データの再生指示を受け付けられる（Ｓ２００）。ＢＤレコーダ１００はＨＤＤ１８０に記憶している番組データの一覧表をメニュー画面として出力できる。使用者は、メニュー画面上のカーソル等を移動することで再生したい何れかの番組データを選択し、再生指示できる。
【００５０】
再生指示を受け付けると、ＬＳＩ１７０は、Ｂ−ＣＡＳカードスロット１２０に挿入されている代表カードに自動表示メッセージの表示の要否を問い合わせる（Ｓ２１０）。代表カードに対して自動表示メッセージの表示の要否を問い合わせると、ＬＳＩ１７０は、問い合わせた代表カードからの応答を待ち、応答結果に基づいて、自動表示メッセージの表示の要否を判断する（Ｓ２２０）。
【００５１】
自動表示メッセージの表示が必要であると判断すると（Ｓ２２０のＹ）、ＬＳＩ１７０は、ＨＤＤ１８０に記憶されている番組データと自動表示メッセージとを再生し、番組コンテンツに自動表示メッセージを重畳させてＨＤＭＩ２２０を介してテレビ３００に出力する（Ｓ２３０）。なお、再生対象の番組データの記録時に自動表示メッセージのデータが記録されていない場合には、自動表示メッセージの表示が必要であると判断したとしても、ＬＳＩ１７０は、ＨＤＤ１８０に記憶されている番組データのみを再生することとなる。
【００５２】
一方、自動表示メッセージの表示が不要であると判断すると（Ｓ２２０のＮ）、ＬＳＩ１７０は、ＨＤＤ１８０に記憶されている番組データを再生し、番組コンテンツをＨＤＭＩ２２０を介してテレビ３００に出力する（Ｓ２４０）。
【００５３】
このように、本実施の形態にかかるＢＤレコーダ１００は、Ｂ−ＣＡＳカードスロット１３０に挿入されている共用Ｂ−ＣＡＳカードを用いてデスクランブル処理を施した番組データを記録する場合には、Ｂ−ＣＡＳカードスロット１３０に挿入されている共用Ｂ−ＣＡＳカードに対して自動表示メッセージの要否を問い合わせ、番組データのみをＨＤＤ１８０に記録するか、番組データと自動表示メッセージとを対応付けてＨＤＤ１８０に記録するかを決定する。また、ＢＤレコーダ１００は、Ｂ−ＣＡＳカードスロット１３０に挿入されている共用Ｂ−ＣＡＳカードを用いてデスクランブル処理を施した番組データを再生する場合には、Ｂ−ＣＡＳカードスロット１２０に挿入されている代表カードに対して自動表示メッセージの表示の要否を問い合わせ、番組データのみを再生するか、番組データと該番組データに対応付けられた自動表示メッセージとを併せて再生するかを決定する。
【００５４】
これにより、Ｂ−ＣＡＳカードスロット１３０に挿入されている共用Ｂ−ＣＡＳカードに対して有料放送契約が締結されていないが、Ｂ−ＣＡＳカードスロット１２０に挿入されている代表カードに対して有料放送契約が締結されているような場合に、Ｂ−ＣＡＳカードスロット１３０に挿入されている共用Ｂ−ＣＡＳカードを用いてデスクランブル処理を実行して記録した番組データを再生する際に自動表示メッセージを表示することがなくなる。また、Ｂ−ＣＡＳカードスロット１３０に挿入されている共用Ｂ−ＣＡＳカードに対して有料放送契約が締結されているが、Ｂ−ＣＡＳカードスロット１２０に挿入されている代表カードに対して有料放送契約が締結されていない場合に、Ｂ−ＣＡＳカードスロット１３０に挿入されている共用Ｂ−ＣＡＳカードを用いてデスクランブル処理を実行して記録した番組データを再生する際に、自動表示メッセージを表示することがなくなる。その結果、ＢＳＮＨＫのように一世帯に一契約あればよいような有料放送について、世帯として有料放送契約を締結しているにも関わらず、自動表示メッセージが表示されてしまうような事態が生じる可能性を低減させることができる。
【００５５】
また、上記構成は、ＢＳＮＨＫ以外の有料放送事業者による有料放送に基づく番組データの再生においてもメリットを有する。Ｂ−ＣＡＳカードスロット１３０に挿入されている共用Ｂ−ＣＡＳカードについて有料放送契約を締結しているが、Ｂ−ＣＡＳカードスロット１２０に挿入されている代表カードについて有料放送契約を締結していないような場合を考える。上記構成によれば、この場合に、Ｂ−ＣＡＳカードスロット１３０に挿入されている共用Ｂ−ＣＡＳカードを用いてデスクランブル処理を施した番組データを再生した際に、自動表示メッセージを表示してしまうという事態を回避できる。
【００５６】
なお、本実施の形態にかかるＢＤレコーダ１００は、再生した番組データをＨＤＭＩ２２０を介してテレビ３００に出力することとした。しかしながら、必ずしもこのような構成には限定されない。例えば、番組データを不図示の無線ＬＡＮモジュールを介して外部機器に送信してもよい。この場合には、再生済みの番組データに自動表示メッセージを重畳したデータを再エンコードし、再エンコード済みのデータを送信してもよいし、番組データと自動表示メッセージを示すデータとを別々に送信してもよい。
【００５７】
２．実施の形態２
次に、本発明をＢＤレコーダに適用した実施の形態２について図面を用いて説明する。本実施の形態にかかるＢＤレコーダ１００は、タイムシフト録画において番組データを記録する際に、番組データのみを記録し、自動表示メッセージのデータを合わせて記録することがない点、及びタイムシフト録画した番組データの再生動作が実施の形態１と異なる。以下、本実施の形態におけるタイムシフト録画した番組データの再生動作について詳細に説明する。
【００５８】
２−１．タイムシフト録画した番組データの再生動作
タイムシフト録画した番組データのＢＤレコーダ１００における再生動作について図７を用いて説明する。図７は、タイムシフト録画した番組データの再生動作を説明するためのフローチャートである。
【００５９】
ＢＤレコーダ１００は、不図示のメニュー画面等を介して使用者からタイムシフト録画した番組データの再生指示を受け付けられる（Ｓ３００）。ＢＤレコーダ１００はＨＤＤ１８０に記憶している番組データの一覧表をメニュー画面として出力できる。使用者は、メニュー画面上のカーソル等を移動することで再生したい何れかの番組データを選択し、再生指示できる。
【００６０】
再生指示を受け付けると、ＬＳＩ１７０は、再生指示を受け付けた番組データがＢＳＮＨＫの番組データであるか否かを判断する（Ｓ３１０）。具体的には、ＬＳＩ１７０は、ＨＤＤ１８０に記憶している管理データを参照することで、再生対象が何れのチャンネルで再生された放送番組に関する番組データであるかを判断できる。なお、必ずしもこのような方法には限定されない。例えば、共用Ｂ−ＣＡＳカードに対して通電制御コマンドを送信し、その応答を参照することでも有料放送事業者を特定できる。具体的には、通電制御コマンドに対する応答のうちのＣＡ＿ｂｒｏａｄｃａｓｔ＿ｇｒｏｕｐ＿ｉｄを参照することでも有料放送事業者を特定できる。
【００６１】
再生対象がＢＳＮＨＫの番組データであると判断すると、ＬＳＩ１７０は、チューナ１２３〜チューナ１２５のうち未使用のチューナのチャンネルをＢＳＮＨＫにセットする（Ｓ３２０）。これにより、チューナ１２３〜チューナ１２５の何れかのチューナでＢＳＮＨＫの放送番組が受信される。
【００６２】
何れかのチューナのチャンネルをＢＳＮＨＫにセットすると、ＬＳＩ１７０は、Ｂ−ＣＡＳカードスロット１２０に挿入されている共用Ｂ−ＣＡＳカード（代表カード）に対して、自動表示メッセージの表示の要否をデスクランブラ１２６に問い合わさせる（Ｓ３３０）。
【００６３】
問い合わせに対する応答がＢ−ＣＡＳカードスロット１２０に挿入されているＢ−ＣＡＳカードからあると、ＬＳＩ１７０は、再生するタイムシフト録画された番組データに対して自動表示メッセージを重畳するか否かを判断する（Ｓ３４０）。
【００６４】
重畳しないと判断すると、ＬＳＩ１７０は、ＨＤＤ１８０に記憶されており、使用者により選択された番組データを、自動表示メッセージを重畳することなく再生する（Ｓ３５０）。
【００６５】
一方、重畳すると判断すると、ＬＳＩ１７０は、ＨＤＤ１８０に記憶されており、使用者により選択された番組データにデスクランブラ１２６により生成された自動表示メッセージを重畳し、映像データを生成する（Ｓ３６０）。なお、ここで番組データに重畳される自動表示メッセージは、チューナ１２３〜チューナ１２５のうちチャンネル設定がＢＳＮＨＫに設定されたチューナで受信したデータである。映像データを生成すると、ＬＳＩ１７０は、生成した映像データをＨＤＭＩ２２０を介してテレビ３００に出力する（Ｓ３７０）。
【００６６】
一方、ステップＳ３１０において、再生対象がＢＳＮＨＫ以外の有料放送に基づく番組データであると判断すると、ＬＳＩ１７０は、デスクランブラ１３６〜デスクランブラ１５６の何れかに、再生対象の番組データがデスクランブル処理される際に使用された共用Ｂ−ＣＡＳカードに対して、自動表示メッセージの表示の要否を問い合わさせる（Ｓ３８０）。
【００６７】
問い合わせに対する応答がＢ−ＣＡＳカードスロット１３０〜Ｂ−ＣＡＳカードスロット１５０の何れかに挿入されているＢ−ＣＡＳカードからあると、ＬＳＩ１７０は、再生するタイムシフト録画された番組データに対して自動表示メッセージを重畳するか否かを判断する（Ｓ３９０）。
【００６８】
重畳しないと判断すると、ＬＳＩ１７０は、ＨＤＤ１８０に記憶されており、使用者により選択された番組データを、自動表示メッセージを重畳することなく再生する（Ｓ４００）。
【００６９】
一方、重畳すると判断すると、ＬＳＩ１７０は、ＨＤＤ１８０に記憶されており、使用者により選択された番組データにデスクランブラ１３６により生成された自動表示メッセージを重畳し、映像データを生成する（Ｓ４１０）。映像データを生成すると、ＬＳＩ１７０は、生成した映像データをＨＤＭＩ２２０を介してテレビ３００に出力する（Ｓ４２０）。
【００７０】
このように、本実施の形態にかかるＢＤレコーダ１００は、再生対象の番組データがＮＨＫのＢＳ放送に基づく番組データである場合、番組データを再生する際に、代表カードである共用Ｂ−ＣＡＳカードに自動表示メッセージの表示の要否を問い合わせ、この問い合わせに対する応答に基づいて、再生後の番組データに対して通常視聴の系により生成された自動表示メッセージを重畳するか否かを決定する。
【００７１】
これにより、タイムシフト録画した番組データを再生する際に、代表カードのカードＩＤがＮＨＫに連絡されていない場合には、自動表示メッセージを出力する番組コンテンツに重畳表示できる。
【００７２】
また、ＢＤレコーダ１００は、再生する対象がＮＨＫのＢＳ放送に基づく番組データである場合と、ＮＨＫ以外の有料放送に基づく番組データである場合とで、自動表示メッセージの表示に関して問い合わせる共用Ｂ−ＣＡＳカードを変えることとした。このように構成する理由について次に説明する。
【００７３】
上述した通り、ＮＨＫのＢＳ放送に関しては、Ｂ−ＣＡＳカード毎に契約が必要なわけではなく、一世帯に一契約あればよい。従って、契約の際に最もカードＩＤが通知されそうな代表カード（Ｂ−ＣＡＳカードスロット１２０に挿入されているＢ−ＣＡＳカード）に自動表示メッセージの表示の要否を問い合わせることとした。しかしながら、ＮＨＫ以外の有料放送の多くは、Ｂ−ＣＡＳカード毎に有料契約を求めている。従って、仮に代表カードに関して有料契約が締結されていたとしても、有料契約を締結していない他のＢ−ＣＡＳカードを用いて有料放送を見る場合には、自動表示メッセージを表示することが好ましい。
【００７４】
そこで、ＢＤレコーダ１００は、再生する対象がＮＨＫのＢＳ放送に基づく番組データである場合と、ＮＨＫ以外の有料放送に基づく番組データである場合とで、自動表示メッセージの表示に関して問い合わせる共用Ｂ−ＣＡＳカードを変えることとした。これにより、ＮＨＫのＢＳ放送と他の有料放送とのそれぞれにおいてより好ましいタイミングに自動表示メッセージを表示できる。
【００７５】
なお、本実施の形態においては、タイムシフト録画された番組データの再生時に重畳される自動表示メッセージを視聴用の系で受信することとしたが、必ずしもこのような構成に限られない。例えば、再生対象の番組データを受信したチューナを介して自動表示メッセージを受信してもよい。この場合には、自動表示メッセージの重畳の要否に関しては、代表カードに問い合わせ、自動表示メッセージ自体に関しては、再生対象の番組データを受信したチューナを介して受信することとなる。
【００７６】
このように構成する理由について次に説明する。タイムシフト録画は、通常、連続的に同一チャンネルに対して行われる。従って、再生対象の番組データを受信したチューナは、現在も再生対象の番組データのチャンネルと同一のチャンネルに設定されている可能性が高い。従って、再生対象の番組データを受信したチューナと同一のチューナを介して自動表示メッセージを受信することとすれば、重畳用の自動表示メッセージを受信するためのチャンネル設定の手間を省くことができる。
【００７７】
３．実施の形態３
次に、本発明をＢＤレコーダに適用した実施の形態３について図面を用いて説明する。本実施の形態にかかるＢＤレコーダ１００は、通常録画またはタイムシフト録画における自動表示メッセージの記録動作及び録画した番組データの再生時における自動表示メッセージの表示動作が上記の実施の形態のものと異なる。以下、これらの動作の詳細を説明する。
【００７８】
３−１．番組データの録画動作
図８のフローチャートを参照して、本実施形態のＢＤレコーダ１００における番組データの録画動作を説明する。
【００７９】
使用者より番組データの録画の指示があると（Ｓ４４０）、ＬＳＩ１７０は、指示された録画の種類が通常録画とタイムシフト録画のいずれであるかを判断する（Ｓ４５０）。
【００８０】
タイムシフト録画の場合、ＬＳＩ１７０は、受信した番組データをタイムシフト録画用のＨＤＤ１８０に記録するが、このとき、受信した自動表示メッセージのデータは記録しない（Ｓ４６０）。なお、本例では、タイムシフト録画の場合、受信した自動表示メッセージのデータをＨＤＤ１８０に記録しない例を示しているが、受信した自動表示メッセージをＨＤＤ１８０に記録するようにしてもよい。
【００８１】
一方、通常録画の場合、ＬＳＩ１７０は、番組ストリーム中に含まれるCA-descriptorの猶予期間の最下位ビットを参照し、その値が「０」及び「１」のいずれであるかを判断する（Ｓ４７０）。ここで、CA-descriptorの猶予期間の最下位ビットについて説明する。なお、CA-descriptorの猶予期間の最下位ビットの値が「０」となるか「１」となるかは、放送事業者毎に取り決められている。
【００８２】
CA-descriptorの猶予期間の最下位ビットは、未契約の有料放送チャンネルから受信して通常録画された番組データを、後に再生する際に、自動表示メッセージを表示するか否かを示す情報である。具体的には、CA-descriptorの猶予期間の最下位ビットの値は以下の意味を持つ。
「０」：通常録画された番組データの再生時に自動表示メッセージを表示する。
「１」：通常録画された番組データの再生時に自動表示メッセージを表示しない。
【００８３】
CA-descriptorの猶予期間の最下位ビットが「０」であるとき（すなわち、通常録画された番組データの再生時に自動表示メッセージを表示する場合）、受信した番組データと、受信した自動表示メッセージとを通常録画用のＨＤＤ１６０に記録する（Ｓ４８０）。一方、CA-descriptorの猶予期間の最下位ビットが「１」であるとき（すなわち、通常録画された番組データの再生時に自動表示メッセージを表示しない場合）、受信した番組データのみをタイムシフト録画用のＨＤＤ１８０に記録する。すなわち、受信した自動表示メッセージのデータは記録しない（Ｓ４９０）。
【００８４】
３−２．番組データの再生動作
本実施形態における、録画した番組データのＢＤレコーダ１００における再生動作について図９A〜９Cのフローチャートを用いて説明する。
【００８５】
ＢＤレコーダ１００は、使用者から録画した番組データの再生指示を受け付けると（Ｓ５００）、再生指示を受けた番組データのCA-descriptorの猶予期間の最下位ビットを参照し、その値を判別する（Ｓ５１０）。
【００８６】
CA-descriptorの猶予期間の最下位ビットの値が「０」であるとき（すなわち、通常録画された番組データの再生時に自動表示メッセージを表示する場合）、再生処理１を実行し（Ｓ５２０）、その値が「１」であるとき（すなわち、通常録画された番組データの再生時に自動表示メッセージを表示しない場合）、再生処理２を実行する（Ｓ５３０）。以下、再生処理１、２それぞれについて説明する。
【００８７】
図９Ｂを参照して、再生処理１の詳細を説明する。ＬＳＩ１７０は、再生指示された番組がタイムシフト録画されたものか通常録画されたものかを判別する（Ｓ５２１）。再生指示された番組がタイムシフト録画されたものである場合、ＬＳＩ１７０は、タイムシフト録画用Ｂ−ＣＡＳカード、すなわち、ＢＤレコーダ１００の背面に設けられたＢ−ＣＡＳカードスロット１３０〜１５０に挿入されたＢ−ＣＡＳカードのいずれかが、再生指示された番組に関する放送チャンネルについて契約済みであるか否かを判断する（Ｓ５２２）。
【００８８】
契約済みであれば（Ｓ５２２でＹｅｓ）、ＬＳＩ１７０は、タイムシフト録画用のＨＤＤ１８０から再生指示を受けた番組データを読み出し、ＨＤＭＩ２２０を介してテレビ３００に出力する。このとき、ＬＳＩ１７０は、出力すべき番組データに対して、自動表示メッセージを重畳しない（Ｓ５２３）。すなわち、自動表示メッセージの表示は行わない。Ｂ−ＣＡＳカードスロット１３０〜１５０に挿入されたカードのいずれにおいても契約が締結されていない場合、ＬＳＩ１７０は、放送中のストリームから、再生指示を受けた番組データに関する放送チャンネルに対する自動表示メッセージのデータを取得し（Ｓ５２４）、ＨＤＤ１８０から取得した番組データに自動表示メッセージのデータを重畳し、ＨＤＭＩ２２０を介してテレビ３００に出力する（Ｓ５２５）。
【００８９】
一方、ステップＳ５２１において、再生指示された番組が通常録画されたものである場合、通常録画用Ｂ−ＣＡＳカード、すなわち、ＢＤレコーダ１００の前面に設けられたＢ−ＣＡＳカードスロット１２０に挿入されたＢ−ＣＡＳカード（代表カード）が、再生指示された番組に関する放送チャンネルについて契約済みであるか否かを判断する（Ｓ５２６）。
【００９０】
既に契約済みであれば（Ｓ５２６でＹｅｓ）、ＬＳＩ１７０は、通常録画用のＨＤＤ１６０から、再生指示を受けた番組データを読み出し、ＨＤＭＩ２２０を介してテレビ３００に出力する。このとき、ＬＳＩ１７０は、自動表示メッセージのデータは出力しない（Ｓ５２７）。すなわち、自動表示メッセージの表示は行わない。一方、Ｂ−ＣＡＳカードスロット１２０に挿入された代表カードにおいて契約が締結されていない場合、ＬＳＩ１７０は、通常録画用のＨＤＤ１６０から、再生指示を受けた番組データに関する放送チャンネルに対する自動表示メッセージのデータを取得し（Ｓ５２８）、ＨＤＤ１６０から取得した番組データに重畳し、ＨＤＭＩ２２０を介してテレビ３００に出力する（Ｓ５２９）。これにより、自動表示メッセージは表示される。
【００９１】
以上のように、再生処理１においては、再生する番組データに関する放送チャンネルに対する契約状態に応じて自動表示メッセージの表示の有無を制御する。特に、自動表示メッセージのデータの取得において、タイムシフト録画された番組データについては、放送中のストリームから取得している。これは、タイムシフト録画の場合、自動表示メッセージのデータがＨＤＤ１８０に記録されていないからである（図８のステップＳ４１０，Ｓ４２０参照）。
【００９２】
図９Ｃを参照して、再生処理２の詳細を説明する。ＬＳＩ１７０は、再生指示された番組がタイムシフト録画されたものか、通常録画されたものかを判別する（Ｓ５３１）。
【００９３】
再生指示された番組が通常録画されたものである場合、ＬＳＩ１７０は、通常録画用のＨＤＤ１６０から、再生指示を受けた番組データを読み出し、ＨＤＭＩ２２０を介してテレビ３００に出力するが、自動表示メッセージのデータは出力しない（Ｓ５３２）。
【００９４】
再生指示された番組がタイムシフト録画されたものである場合、ＬＳＩ１７０は、再生指示された番組の放送チャンネルがＮＨＫか否かを判断する（Ｓ５３３）。放送チャンネルについては、前述のようにCA_broadcast_group_idを参照することで判断できる。
【００９５】
ＮＨＫである場合、ＬＳＩ１７０は、通常録画用Ｂ−ＣＡＳカード、すなわち、Ｂ−ＣＡＳカードスロット１２０に挿入された代表カードがＮＨＫに対して契約済みであるか否かを判断する（Ｓ５３４）。
【００９６】
ＮＨＫに対して契約済みであれば（Ｓ５３４でＹｅｓ）、ＬＳＩ１７０は、通常録画用のＨＤＤ１６０から、再生指示を受けた番組データを読み出し、ＨＤＭＩ２２０を介してテレビ３００に出力する。このとき、ＬＳＩ１７０は、自動表示メッセージのデータは出力しない（Ｓ５３５）。すなわち、自動表示メッセージの表示は行わない。一方、ＮＨＫに対する契約が締結されていない場合（Ｓ５３４でＮｏ）、ＬＳＩ１７０は、放送中のストリームから、再生指示を受けた番組データに関する放送チャンネルに対する自動表示メッセージのデータを取得し（Ｓ５３６）、ＨＤＤ１８０から取得した番組データに重畳し、ＨＤＭＩ２２０を介してテレビ３００に出力する（Ｓ５３７）。これにより、自動表示メッセージは表示される。
【００９７】
一方、ステップS５３３において、再生指示された番組の放送チャンネルがＮＨＫでない場合（Ｓ５３３でＮｏ）、ＬＳＩ１７０は、タイムシフト録画用Ｂ−ＣＡＳカードすなわちＢ−ＣＡＳカードスロット１３０〜１５０に挿入されたＢ−ＣＡＳカードのいずれかが、再生指示された番組に関する放送チャンネルについて契約済みであるか否かを判断する（Ｓ５３８）。
【００９８】
契約済みであれば（Ｓ５３８でＹｅｓ）、ＬＳＩ１７０は、タイムシフト録画用のＨＤＤ１８０から再生指示を受けた番組データを読み出し、ＨＤＭＩ２２０を介してテレビ３００に出力する。このとき、ＬＳＩ１７０は、自動表示メッセージのデータは出力しない（Ｓ５３９）。すなわち、この場合は自動表示メッセージを表示しない。一方、Ｂ−ＣＡＳカードスロット１３０〜１５０に挿入されたカードのいずれにおいても契約が締結されていない場合、ＬＳＩ１７０は、放送中のストリームから、再生指示を受けた番組データに関する放送チャンネルに対する自動表示メッセージのデータを取得し（Ｓ５４０）、ＨＤＤ１８０から取得した番組データに重畳して、ＨＤＭＩ２２０を介してテレビ３００に出力する（Ｓ５４１）。すなわち、この場合は自動表示メッセージを表示する。
【００９９】
なお、上記の例において、ステップＳ５３３の判断において、放送チャンネルがＮＨＫでない場合（Ｓ５３３でＮｏ）、契約状態に応じて自動表示メッセージの表示動作を切り替えたが（Ｓ５３９、Ｓ５４１）、ＮＨＫでない場合、契約状態にかかわらず、自動表示メッセージを表示しないようにしてもよい。
【０１００】
以上のように、再生処理２においては、再生する番組データが通常録画されたものである場合、その番組データの再生時において自動表示メッセージを表示しない。一方、再生する番組データがタイムシフト録画されたものである場合、その番組データに関する放送チャンネルに対する契約状態に応じて自動表示メッセージの表示の有無を制御する。ここで、特に、再生すべき番組データについての放送チャンネルがＮＨＫの場合、タイムシフト録画された番組データを再生する場合であっても、通常録画用のＢ−ＣＡＳカードすなわちＢ−ＣＡＳカードスロット１２０に挿入された代表カードを用いて、契約締結の有無を確認している（Ｓ５３４）。これは、１）ＮＨＫに対しては、有料放送契約について、Ｂ−ＣＡＳカード毎ではなく、家庭（世帯）毎に契約を締結すればよく、また、２）通常、Ｂ−ＣＡＳカードスロット１２０に挿入された代表カードに対して契約が締結されていると考えられるからである。
【０１０１】
次に、タイムシフト録画用ＨＤＤ１８０から通常録画用ＨＤＤ１６０にダビングされた番組データの再生時における自動表示メッセージの処理ついて図１０を参照して説明する。
【０１０２】
使用者により、タイムシフト録画用ＨＤＤ１８０から通常録画用ＨＤＤ１６０にダビングされた番組データについて再生指示を受けた場合（Ｓ６００）、ＬＳＩ１７０は、ＨＤＤ１６０から番組データを読み出し、ＨＤＭＩ２２０を介してテレビ３００に出力する。このとき、ＬＳＩ１７０は、自動表示メッセージのデータは出力しない（Ｓ６１０）。よって、自動表示メッセージは表示されない。
【０１０３】
以上のように、タイムシフト録画用ＨＤＤ１８０から通常録画用ＨＤＤ１６０にダビングされた番組データについては、その再生時において自動表示メッセージは表示されない。
【０１０４】
なお、図９Ａ〜９Ｃのフローチャートを用いて説明した動作において、タイムシフト録画であるか通常録画であるかの判断（Ｓ５２１、Ｓ５３１）の後、カードが契約済みか否かの判断（Ｓ５２２、Ｓ５２６、Ｓ５３４、Ｓ５３８）を行ったが、この判断の順序はこれに限られず、最終的に同様の結果が得られるのでれば、逆の順序でもよい。
【０１０５】
４．他の実施形態
以上のように、本出願において開示する技術の例示として、実施の形態１〜３を説明した。しかしながら、本開示における技術は、これに限定されず、適宜、変更、置き換え、付加、省略などを行った実施の形態にも適用可能である。また、上記実施の形態１〜３で説明した各思想を適宜組み合わせて、新たな実施の形態とすることも可能である。
【０１０６】
上記の実施形態では、信号処理装置の一例としてＢＤレコーダを用いて説明したが、本開示の思想は、ＢＤレコーダに限定されず、ＤＶＤレコーダ、ＨＤＤレコーダ、フラッシュメモリを用いたレコーダ、パーソナルコンピュータ等の種々の信号処理装置に適用することができる。すなわち、本開示の思想は、複数のデスクランブル用のカード（例えば、Ｂ−ＣＡＳカード）を使用でき、各Ｂ−ＣＡＳカードを用いてデスクランブル処理を行う信号処理装置であれば、適用可能である。
【産業上の利用可能性】
【０１０７】
本開示は、ＢＤレコーダ、ＤＶＤレコーダ、ＨＤＤレコーダ、フラッシュメモリを用いたレコーダ、パーソナルコンピュータ等の信号処理装置に適用できる。
【符号の説明】
【０１０８】
１００    ＢＤレコーダ
１１０    ＢＤドライブ
１２０    Ｂ−ＣＡＳカードスロット
１２１    地デジアンテナ取付部
１２２    ＢＳ／ＣＳアンテナ取付部
１３０    Ｂ−ＣＡＳカードスロット
１３１    地デジアンテナ取付部
１３２    ＢＳ／ＣＳアンテナ取付部
１４０    Ｂ−ＣＡＳカードスロット
１４１    地デジアンテナ取付部
１４２    ＢＳ／ＣＳアンテナ取付部
１５０    Ｂ−ＣＡＳカードスロット
１５１    地デジアンテナ取付部
１５２    ＢＳ／ＣＳアンテナ取付部
【図１】
0006455745.tif 000002
【図２】
0006455745.tif 000003
【図３】
0006455745.tif 000004
【図４】
0006455745.tif 000005
【図５】
0006455745.tif 000006
【図６】
0006455745.tif 000007
【図７】
0006455745.tif 000008
【図８】
0006455745.tif 000009
【図９Ａ】
0006455745.tif 000010
【図９Ｂ】
0006455745.tif 000011
【図９Ｃ】
0006455745.tif 000012
【図１０】
0006455745.tif 000013